(57)【要約】 【課題】電源波形のリップルとは関係なく、階調電圧波形のうち、所定タイミングに動機された階調電圧レベルを提供する表示装置、その駆動装置及び駆動方法を提供する。【解決手段】スキャン駆動部は、スキャンラインをアクティブさせる複数のスキャン信号を提供し、ディスプレイタイミング設定部は、制御信号を出力する。データ駆動部は、制御信号に基づいて、階調電圧波形のうち、所定タイミングに動機された階調電圧レベルを表示装置のデータラインに提供する。リップル偏差による表示装置のディスプレイ不良を除去することができる。【選択図】  図６
2005084687.tif 000002
【特許請求の範囲】
【請求項１】
表示装置を駆動する駆動装置において、
制御信号を出力するディスプレイタイミング設定部と、
前記制御信号に基づいて階調電圧波形のうち、所定タイミングに同期した階調電圧レベルを前記表示装置に提供するデータ駆動部と、
を含むことを特徴とする駆動装置。
【請求項２】
前記ディスプレイタイミング設定部は、
第１オシレーティング信号を出力するオシレータと、
前記第１オシレーティング信号を昇圧させた第２オシレーティング信号を出力する昇圧回路と、
前記第１オシレーティング信号と前記第２オシレーティング信号に基づいて前記制御信号を生成して前記データ駆動部に提供する演算部と、
を含むことを特徴とする請求項１記載の駆動装置。
【請求項３】
前記演算部は、
前記第１オシレーティング信号のパルスの数をカウントし、所定個数のパルスごとにアクティブレベルを有する矩形波を出力するカウンターと、
前記第２オシレーティング信号と前記矩形波の提供を受けて、論理ＡＮＤ演算を遂行して前記制御信号を生成する論理ＡＮＤ演算器と、
を含むことを特徴とする請求項２記載の駆動装置。
【請求項４】
前記論理ＡＮＤ演算器は、前記第２オシレーティング信号がアクティブの状態であり、前記矩形波がアクティブレベルであるとき、アクティブレベルの制御信号を出力することを特徴とする請求項３記載の駆動装置。
【請求項５】
前記データ駆動部は、
クロック信号を受けて前記制御信号のアクティブ区間に前記クロック信号を出力するシフトレジスタと、
第１画像データの入力を受けて前記制御信号のアクティブ区間に同期したクロック信号が印加される時点に相応する画像データ値をラッチするデータラッチと、
ガンマ基準電圧の入力を受けて前記データラッチから出力された第２画像データに対応する階調電圧を出力するＤ/Ａコンバータと、
前記階調電圧を前記表示装置のデータラインに提供する出力バッファーと、
を含むことを特徴とする請求項１記載の駆動装置。
【請求項６】
複数のデータラインと複数のスキャンラインによって調整される領域に形成された複数の画素を具備する表示装置を駆動する駆動装置において、
前記スキャンラインをアクティブにする複数のスキャン信号を提供するスキャン駆動部と、
制御信号を出力するディスプレイタイミング設定部と、
前記制御信号に基づいて階調電圧波形のうち、所定タイミングに同期した階調電圧レベルを前記データラインに提供するデータ駆動部と、
を含むことを特徴とする駆動装置。
【請求項７】
前記ディスプレイタイミング設定部は、
第１オシレーティング信号を出力するオシレータと、
前記第１オシレーティング信号を昇圧させた第２オシレーティング信号を出力する昇圧回路と、
前記第１オシレーティング信号と前記第２オシレーティング信号に基づいて前記制御信号を生成して前記データ駆動部に提供する演算部と、
を含むことを特徴とする請求項６記載の駆動装置。
【請求項８】
前記演算部は、
前記第１オシレーティング信号のパルスの数をカウントし、所定個数のパルスごとにアクティブレベルを有する矩形波を出力するカウンターと、
前記第２オシレーティング信号と前記矩形波の提供を受けて論理ＡＮＤ演算を遂行して前記制御信号を生成する論理ＡＮＤ演算器と、
を含むことを特徴とする請求項７記載の駆動装置。
【請求項９】
前記論理ＡＮＤ演算器は、前記第２オシレーティング信号がアクティブ状態であり、前記矩形波がアクティブレベルであるとき、アクティブレベルの制御信号を出力することを特徴とする請求項８記載の駆動装置。
【請求項１０】
前記データ駆動部は、
クロック信号の入力を受けて前記制御信号のアクティブ区間に前記クロック信号を出力するシフトレジスタと、
第１画像データの入力を受けて前記制御信号のアクティブ区間に同期したクロック信号が印加される時点に相応する画像データ値をラッチするデータラッチと、
ガンマ基準電圧の入力を受けて前記データラッチから出力された第２画像データに対応する階調電圧を出力するＤ/Ａコンバータと、
前記階調電圧を前記データラインに提供する出力バッファーと、
を含むことを特徴とする請求項６記載の駆動装置。
【請求項１１】
複数のデータラインと複数のスキャンラインによって調整される複数の画素を具備する表示パネルと、
前記スキャンラインをアクティブにする複数のスキャン信号を提供するスキャン駆動部と、
制御信号を出力するディスプレイタイミング設定部と、
前記制御信号に基づいて階調電圧波形のうち、所定タイミングに同期した階調電圧レベルを前記データラインに提供するデータ駆動部と、
を含むことを特徴とする表示装置。
【請求項１２】
前記ディスプレイタイミング設定部は、
第１オシレーティング信号を出力するオシレータと、
前記第１オシレーティング信号を昇圧させた第２オシレーティング信号を出力する昇圧回路と、
前記第１オシレーティング信号と前記第２オシレーティング信号に基づいて前記制御信号を生成して前記データ駆動部に提供する演算部と、
を含むことを特徴とする請求項１１記載の表示装置。
【請求項１３】
前記演算部は、
前記第１オシレーティング信号のパルスの数をカウントし、所定個数のパルスごとにアクティブレベルを有する矩形波を出力するカウンターと、
前記第２オシレーティング信号と前記矩形波の提供を受けて論理ＡＮＤ演算を遂行して前記制御信号を生成する論理ＡＮＤ演算器と、
を含むことを特徴とする請求項１２記載の表示装置。
【請求項１４】
前記論理ＡＮＤ演算器は、前記第２オシレーティング信号がアクティブ状態であり、前記矩形波がアクティブレベルであるとき、アクティブレベルの制御信号を出力することを特徴とする請求項１３記載の表示装置。
【請求項１５】
前記制御信号は、水平同期信号（ＨＳＹＮＣ）と同じ周期を有することを特徴とする請求項１１記載の液晶表示装置。
【請求項１６】
表示装置を駆動する駆動方法において、
制御信号を生成する段階と、
前記制御信号に基づいて階調電圧波形のうち、所定タイミングに同期した階調電圧レベルを前記表示装置に提供する段階と、
を含むことを特徴とする駆動方法。
【請求項１７】
前記制御信号を生成する段階は、
第１オシレーティング信号を生成する段階と、
前記第１オシレーティング信号を昇圧させた第２オシレーティング信号を生成する段階と、
前記第１オシレーティング信号と前記第２オシレーティング信号に基づいて前記制御信号を生成する段階と、
を含むことを特徴とする請求項１６記載の駆動方法。
【請求項１８】
前記第１オシレーティング信号と前記第２オシレーティング信号に基づいて前記制御信号を生成する段階は、
前記第１オシレーティング信号のパルス数をカウントして一定条件を満たす場合にアクティブレベルの矩形波信号を出力する段階と、
前記第２オシレーティング信号と前記アクティブレベルの矩形波信号を論理ＡＮＤ演算して前記制御信号を生成する段階と、
を含むことを特徴とする請求項１７記載の駆動方法。
【請求項１９】
前記制御信号に基づいて階調電圧波形のうち、所定タイミングに同期した階調電圧レベルを前記表示装置に提供する段階は、
クロック信号の入力を受けて前記制御信号のアクティブ区間に前記クロック信号を出力する段階と、
画像データの入力を受けて前記制御信号のアクティブ区間に同期したクロック信号が印加される時点に相応する画像データ値をラッチする段階と、
ガンマ基準電圧の入力を受けて前記ラッチされた画像データに対応する階調電圧を前記表示装置のデータラインに提供する出力する段階と、
を含むことを特徴とする請求項１６記載の駆動方法。
【発明の詳細な説明】
【技術分野】
【０００１】
本発明は、表示装置とこれの駆動装置及び方法に関するものである。  
【背景技術】
【０００２】
一般に、携帯電話のような中小型製品に適用される液晶表示装置は、消費電流が小さく、採用されるドライブＩＣが小型であるべきなので、チャージポンプ（Ｃｈａｒｇｉｎｇ  Ｐｕｍｐ）を利用した平滑方式を用いる。
【０００３】
図１〜図３は、一般的なチャージポンプ及びこれの動作を説明するための図面である。
【０００４】
図１〜図３に図示されたように、充電用第１及び第２スイッチ（ＳＷＣ１，ＳＷＣ２）がオンされ、平滑用第１及び第２スイッチ（ＳＷＧ１，ＳＷＧ２）がオフされると、バッテリー（ＢＡＴ）の充電電荷は第１キャパシタ（Ｃ１）に充電され、充電用第１及び第２スイッチ（ＳＷＣ１，ＳＷＣ２）がオフされ、平滑用第１及び第２スイッチ（ＳＷＲ１，ＳＷＲ２）がオンされると、バッテリー（ＢＡＴ）の充電電荷と第１キャパシタ（Ｃ１）の充電電荷はチャージポンプ電圧（ＶＣＰ）で出力される。第２キャパシタ（Ｃ２）は出力されるチャージポンプ電圧（ＶＣＰ）の平滑動作を遂行する。
【０００５】
しかし、チャージポンプは、出力負荷の変動に対応したレギュレイティング（Ｒｅｇｕｌａｔｉｎｇ）動作が行われないので、出力電圧は出力負荷によるリップル変動が激しい。
【０００６】
一方、チャージポンプを採用してデータ電圧を生成する液晶表示装置では、リップルを減らすために大容量のキャパシタを用いる。しかし、大容量のキャパシタは部品のサイズを増加させる問題点がある。
【０００７】
勿論、リップル変動を最小化するために大容量のキャパシタを適用しても、リップルを完全になくすことはできないため、これによって画面上でリップル現象が発生する。これは中小型製品に適用される液晶表示装置の典型的なディスプレイ不良現象である。この現象は、ライン反転を利用して駆動される中小型製品の液晶表示装置の特性上、更に激しいリップル現象を誘発する。
【０００８】
後述する図４〜図５を参照して前述の問題点を説明する。
【０００９】
図４は、液晶表示装置に採用されるチャージポンプから出力される電圧波形を示し、図５は、図４の電圧波形をレギュレイティングした波形を図示する。
【００１０】
図４に図示されたチャージポンプ出力電圧（ＶＣＰ）は、チャージポンプから発生する矩形波であり、この矩形波をレギュレイティングするためにキャパシタを連結すると、図５に示された階調基準電圧（ＶＤ）のような波形が生成される。この階調基準電圧（ＶＤ）波形は典型的なリップルを有する。このような階調電圧基準電圧（ＶＤ）においてリップルを減らすために大容量のキャパシタを用いる。
【００１１】
前述したようなリップルを有する階調基準電圧（ＶＤ）波形を観察するとき、ａ−ポイント、ｂ−ポイント、ｃ−ポイントなど、どのようなポイントから液晶パネルのデータラインに階調電圧（又はデータ電圧）が印加されるか分からない。
【００１２】
従って、階調間の電圧偏差が小さい中間階調でリップル現象が発生する。例えば、ＲＧＢ各データを６ビットずつ用いる１８ビットの場合は概ね２６０万カラーになり、階調はＲ/Ｇ/Ｂ各６４階調になる（即ち、２６＊２６＊２６＝２６２，１４４カラー、２６＝６４階調）。
【００１３】
例えば、３２−グレイの場合、ａ−ポイントから液晶パネルに印加する階調電圧とｂ−ポイントから液晶パネルに印加する階調電圧が異なるようになると、階調間の偏差があると認識されて、使用者にはディスプレイ画面上さざ波のように見える。
【００１４】
即ち、液晶パネルの任意領域には、ａ−ｂの間の任意階調電圧が印加され、他の任意領域にはｂ−ｃの間の階調電圧が印加されるので、同じ階調であっても液晶パネルに印加される階調電圧はそれぞれ異なるようになる。このような現象は、ランダムに発生するため、画面上でさざ波のように見える問題点がある。
【発明の開示】
【発明が解決しようとする課題】
【００１５】
本発明の技術的な課題は、このような従来の問題点を解決するためであって、本発明の第１特徴は、リップル偏差による表示装置のディスプレイ不良をなくすための表示装置の駆動装置を提供することにある。
【００１６】
また、本発明の第２特徴は、前述の駆動装置を有する表示装置を提供することにある。
【００１７】
また、本発明の第３特徴は、前述の表示装置の駆動方法を提供することにある。
【課題を解決するための手段】
【００１８】
本発明の第１特徴による駆動装置の１実施例は、制御信号を出力するディスプレイタイミング設定部、及び前記制御信号に基づいて階調電圧波形のうち、所定タイミングに同期した階調電圧レベルを前記表示装置に提供するデータ駆動部を含む。
【００１９】
また、本発明の第１特徴による駆動装置の他の実施例は、複数のデータラインと複数のスキャンラインによって設定される領域に形成された複数の画素を具備する表示装置を駆動する駆動装置を含む。前記駆動装置は、前記スキャンラインをアクティブにする複数のスキャン信号を提供するスキャン駆動部、制御信号を出力するディスプレイタイミング設定部、及び前記制御信号に基づいて階調電圧波形のうち、所定タイミングに同期した階調電圧レベルを前記データラインに提供するデータ駆動部を含む。
【００２０】
前記本発明の第２特徴による表示装置は、複数のデータラインと複数のスキャンラインによって設定される複数の画素を具備する表示パネル、前記スキャンラインをアクティブにする複数のスキャン信号を提供するスキャン駆動部、制御信号を出力するディスプレイタイミング設定部、及び前記制御信号に基づいて階調電圧波形のうち、所定タイミングに同期した階調電圧レベルを前記データラインに提供するデータ駆動部を含む。
【００２１】
前記本発明の第３特徴による表示装置を駆動する駆動方法は、制御信号を生成する段階、及び前記制御信号に基づいて階調電圧波形のうち、所定タイミングに同期した階調電圧レベルを前記表示装置に提供する段階を含む。
【００２２】
また、データ電圧を生成する昇圧回路の終端に低容量のキャパシタを用いるので、製造原価を節減することができ、サイズの縮小によって部品配置設計の自由度を高くすることができる。
【発明を実施するための最良の形態】
【００２３】
以下、添付した図面を参照して、本発明をより詳細に説明する。
【００２４】
図６は、本発明の１実施例による液晶表示装置を説明するための図面である。
【００２５】
図６に示すように、本発明による液晶表示装置は、液晶パネル１００、タイミング制御部２００、ディスプレイタイミング設定部３００、共通電源発生部４００、データ駆動部５００及びスキャン駆動部６００を含む。タイミング制御部２００、ディスプレイタイミング設定部３００、共通電源発生部４００、データ駆動部５００及びスキャン駆動部６００は、液晶パネル１００を駆動する駆動回路である。
【００２６】
液晶パネル１００は、複数の画素で構成される。各画素は、ロウ（横列）方向に所定間隔を有して配置された複数のスキャンライン（ゲートライン）とカラム（縦列）方向に所定間隔を有して配置された複数のデータライン（ソースライン）によって囲まれた領域に設定される。
【００２７】
各画素は、スキャンラインとデータラインに連結されたスイッチング素子と、一端がスイッチング素子（ＴＦＴ）のドレインに連結され、他端が共通電極に連結された液晶キャパシタ（ＣＬＣ）と、１つの垂直同期期間に液晶キャパシタ（ＣＬＣ）を充電するストレージキャパシタ（ＣＳＴ）を含む。例えば、スイッチング素子は、薄膜トランジスタ（ＴＦＴ）である。
【００２８】
液晶パネル１００を駆動するためには、外部のグラフィックコントローラなどのようなホストから提供されるＲデータ（ＤＲ）、Ｇデータ（ＤＧ）及びＢデータ（ＤＢ）に基づいてそれぞれ発生されたデータＲ信号、データＧ信号及びデータＢ信号を、スイッチング素子（ＴＦＴ）のデータ電極に階調電圧として提供し、液晶キャパシタ（ＣＬＣ）の共通電極に共通電圧（Ｖｃｏｍ）が印加された状態で、水平同期信号（ＨＳＹＮＣ）及び垂直同期信号（ＶＳＹＮＣ）に基づいて発生されたスキャン信号をスイッチング素子（ＴＦＴ）のゲート電極に提供する。
【００２９】
タイミング制御部２００は、外部のグラフィックコントローラーなどのようなホストから提供されるＲデータ（ＤＲ）、Ｇデータ（ＤＢ）、及びＢデータ（ＤＢ）を、それぞれ画像データ（Ｄ００〜Ｄ０５，Ｄ１０〜Ｄ１５，Ｄ２０〜Ｄ２５）に変換してデータ駆動部５００に提供する。例えば、Ｒデータ（ＤＲ）、Ｇデータ（ＤＢ）及びＢデータ（ＤＢ）は、それぞれ６ビットで構成され、画像データ（Ｄ００〜Ｄ０５，Ｄ１０〜Ｄ１５，Ｄ２０〜Ｄ２５）は１８ビットで構成される。
【００３０】
タイミング制御部２００は、外部から提供されるドットクロック（ＤＣＬＫ）、水平同期信号（ＨＳＹＮＣ）及び垂直同期信号（ＶＳＹＮＣ）に基づいてクロック（ＣＬＫ）を発生してデータ駆動部５００に提供し、極性信号（ＰＯＬ）を発生してデータ駆動部５００及び共通電源発生部４００にそれぞれ提供し、垂直スタートパルス（ＳＴＶ）を発生してスキャン駆動部６００に提供する。ここで、クロック（ＣＬＫ）は、ドットクロック（ＤＣＬＫ）と同じまたは異なる周波数を有する。極性信号（ＰＯＬ）は、それぞれ１つの水平同期周期ごとに、即ち、１つのラインごとに反転し液晶パネル１００を交流で駆動する信号である。垂直スタートパルス（ＳＴＶ）は、垂直同期信号（ＶＳＹＮＣ）と同じ周期を有する信号である。
【００３１】
ディスプレイタイミング設定部３００は、リップルが発生される階調電圧波形のうち、所定タイミングに同期した階調電圧レベルを有する階調電圧が液晶パネルに印加されるようにタイミングを調整する制御信号（ＳＴＨ）をデータ駆動部５００に出力する。例えば、制御信号（ＳＴＨ）は、水平同期信号（ＨＳＹＮＣ）と同じ周期を有する。ディスプレイタイミング設定部３００は、後述する図７で詳細に説明する。
【００３２】
共通電源発生部４００は、極性信号（ＰＯＬ）の提供を受けてグラウンドレベルの共通電圧（Ｖｃｏｍ）または一定電源電圧（ＶＤＤ）レベルの共通電圧を液晶パネル１００の共通電極に提供する。
【００３３】
具体的に、共通電源発生部４００は、極性信号（ＰＯＬ）がハイレベルである場合にはグラウンドレベルの共通電圧（Ｖｃｏｍ）を液晶パネル１００の共通電極に提供し、極性信号（ＰＯＬ）がローレベルである場合は電源電圧（ＶＤＤ）レベルの共通電圧（Ｖｃｏｍ）を液晶パネル１００の共通電極に提供する。
【００３４】
データ駆動部５００は、タイミング制御部２００から提供されるクロック（ＣＬＫ）に基づいてタイミング制御部２００から提供される画像データ（Ｄ００〜Ｄ０５，Ｄ１０〜Ｄ１５及びＤ２０〜Ｄ２５）と共通電源発生部４００から提供される制御信号（ＳＴＨ）に応答して階調電圧のうち、いずれか１つを選択した後、選択された階調電圧を液晶パネル１００のデータラインに出力する。
【００３５】
特に、データ駆動部５００には、液晶パネル１００の印加電圧に対する光透過率特性を満たすことができるように、直列接続された複数の抵抗で構成される抵抗列（図示せず）が含まれる。動作時には、抵抗列は階調基準電圧を電圧分配して複数の階調電圧を出力する。データ駆動部５００は、後述する図６で詳細に説明する。
【００３６】
スキャン駆動部６００は、タイミング制御部２００から提供される垂直スタートパルス（ＳＴＶ）に応答して連続に複数のスキャン信号（Ｇ１〜Ｇｎ）を発生して液晶パネル１００のゲートラインに順次提供する。
【００３７】
次に、下記の図７及び図８〜図１１を参照して、ディスプレイタイミング設定部３００を説明する。
【００３８】
図７は、図６のディスプレイタイミング設定部の一例を説明するための図面であり、図８〜図１１は、図７の動作を説明するための波形図である。
【００３９】
図６〜図１１を参照すると、本発明によるディスプレイタイミング設定部３００は、オシレータ３１０、昇圧回路３２０及び演算部３３０を含む。
【００４０】
オシレータ３１０は、自己発振動作を通じて生成した第１オシレーティング信号３１１を昇圧回路３２０及び演算部３３０に出力する。
【００４１】
昇圧回路３２０は、第１オシレーティング信号３１１を昇圧させた第２オシレーティング信号３２１を演算部３３０に提供する。例えば、携帯電話のような中小型製品に適用される液晶表示装置は、消費電流が低く、採用されるドライブＩＣが小型であるため、チャージポンプを採用する。チャージポンプの一例は、図１〜３に図示したものと同じであるため、その説明は省略する。
【００４２】
演算部３３０は、カウンター３３２と論理ＡＮＤ演算器３３４を含み、第１オシレーティング信号３１１と第２オシレーティング信号３２１に基づいて制御信号（ＳＴＨ）を生成してデータ駆動部５００に提供する。
【００４３】
具体的に、カウンター３３２は、一定周期にハイレベルとローレベルを繰り返す矩形波である第１オシレーティング信号３１１の印加を受けてパルス数をカウンティングし、パルス数が一定条件を満たす場合には、論理ＡＮＤ演算器３３４にハイレベルの矩形波信号３３３を提供する。例えば、図８〜図１１に示したように、カウンター３３２は第２オシレーティング信号３２１がアクティブになった後、第１オシレーティング信号３１１のパルス数が４であるとき、ハイレベルの矩形波信号３３３を出力する。その結果、ディスプレイタイミング設定部３００は、制御信号（ＳＴＨ）を出力する。
【００４４】
論理ＡＮＤ演算器３３４は、第１入力端を通じてアクティブ状態である第２オシレーティング信号３２１が印加され、第２入力端を通じてカウンター３３２からハイレベルの矩形波信号３３３が提供されると、これを論理ＡＮＤ演算を通じて制御信号（ＳＴＨ）を生成してデータ駆動部５００に提供する。データ駆動部５００は、制御信号（ＳＴＨ）に応じて、階調基準電圧（ＶＤ）のたとえばａ−ポイントのような与えられたポイントに対応して、階調電圧信号を出力する。このことにより、結果的にリップルとは関係ない階調電圧が液晶パネル１００のデータラインに印加されるようにタイミングを調整することができ、これによってディスプレイ不良を解決することができる。
【００４５】
また、階調電圧に発生するリップル除去のために、チャージポンプの終端に高容量のキャパシタを採用する必要がないので、チャージポンプやこれを採用する表示装置のサイズを小型化することができる。
【００４６】
図１２は、図６のデータ駆動部の一例を説明するための図面である。
【００４７】
図６〜図１２に示すように、本発明の１実施例によるデータ駆動部５００は、シフトレジスタ５１０、データラッチ５２０、Ｄ/Ａコンバータ５３０及び出力バッファー５４０を含む。データ駆動部５００は、ディスプレイタイミング設定部３００から提供される制御信号（ＳＴＨ）に応答してデータ電圧（又は階調電圧）を液晶パネル１００のデータラインに出力する。
【００４８】
シフトレジスタ５１０は、クロック信号（ＣＬＫ）及び制御信号（ＳＴＨ）の入力を受けて、制御信号（ＳＴＨ）に応答して制御信号（ＳＴＨ）のアクティブ区間にクロック信号（ＣＬＫ）を出力することで、所定シフトクロックを発生してデータラッチ５２０に提供する。
【００４９】
データラッチ５２０は、シフトクロック及び画像データ（Ｄ００〜Ｄ０５，Ｄ１０〜Ｄ１５及びＤ２０〜Ｄ２５）の入力を受け、制御信号（ＳＴＨ）のアクティブ区間に同期したクロック信号（ＣＬＫ）が印加される時点に相応する画像データ（Ｄ００〜Ｄ０５，Ｄ１０〜Ｄ１５及びＤ２０〜Ｄ２５）値を次第にシフトさせながらラッチする。例えば、データラッチは、複数のラッチ回路で構成され、各ラッチ回路はクロック信号（ＤＬＫ）及び画像データ（Ｄ００〜Ｄ０５，Ｄ１０〜Ｄ１５及びＤ２０〜Ｄ２５）のうち、１つの入力を受ける。クロック信号（ＣＬＫ）によってターンオンされるラッチ回路は、画像データ（Ｄ００〜Ｄ０５，Ｄ１０〜Ｄ１５及びＤ２０〜Ｄ２５）のうち、いずれか１つをラッチする。
【００５０】
即ち、データラッチ５２０は、シフトレジスタ５１０から提供される画像データ（Ｄ００〜Ｄ０５，Ｄ１０〜Ｄ１５及びＤ２０〜Ｄ２５）を一時保存する。また、データラッチ５２０は、シフトクロックに応答して保存された画像データ（Ｄ００〜Ｄ０５，Ｄ１０〜Ｄ１５及びＤ２０〜Ｄ２５）をＤ/Ａコンバータ５３０に提供する。
【００５１】
Ｄ/Ａコンバータ５３０は、データラッチ５２０を経由する画像データ（Ｄ００〜Ｄ０５，Ｄ１０〜Ｄ１５及びＤ２０〜Ｄ２５）に対応するアナログ階調電圧を出力バッファー５４０に提供する。例えば、Ｄ/Ａコンバータ５３０は、９つのガンマ基準電圧（Ｖ１〜Ｖ９）の提供を受けてこれを電圧分解して２５６個の階調電圧を生成し、生成された２５６個の階調電圧に基づいて画像データ（Ｄ００〜Ｄ０５，Ｄ１０〜Ｄ１５及びＤ２０〜Ｄ２５）に対応するアナログ階調電圧を出力バッファー５４０に出力する。
【００５２】
出力バッファー５４０は、Ｄ/Ａコンバータ５３０から出力されるアナログ階調電圧を液晶パネル１００のデータラインにライン単位で印加する。
【産業上の利用可能性】
【００５３】
以上では液晶表示パネルのデータラインを駆動するためのデータ駆動部に対して述べたが、本発明は、有機ＥＬディスプレイパネル（ｏｒｇａｎｉｃ  ｅｌｅｃｔｒｏｌｕｍｉｎｅｓｃｅｎｃｅ  ｄｉｓｐｌａｙ  ｐａｎｅｌ）を駆動する場合にも勿論適用することができる。
【００５４】
以上、本発明の実施例によって詳細に説明したが、本発明はこれに限定されず、本発明が属する技術分野において通常の知識を有するものであれば本発明の思想と精神を離れることなく、本発明を修正または変更できる。  
【図面の簡単な説明】
【００５５】
【図１】一般的なチャージポンプ及びこれの動作を説明するための図面である。
【図２】一般的なチャージポンプ及びこれの動作を説明するための図面である。
【図３】一般的なチャージポンプ及びこれの動作を説明するための図面である。
【図４】液晶表示装置に採用されるチャージポンプから出力される電圧波形を示す。
【図５】図４の電圧波形をレギュレイティングした波形を図示する。
【図６】本発明の一実施例による液晶表示装置を説明するための図面である。
【図７】図６のディスプレイタイミング設定部の一例を説明するための図面である。
【図８】図７のディスプレイタイミング設定部の動作を説明するための波形図である。
【図９】図７のディスプレイタイミング設定部の動作を説明するための波形図である。
【図１０】図７のディスプレイタイミング設定部の動作を説明するための波形図である。
【図１１】図７のディスプレイタイミング設定部の動作を説明するための波形図である。
【図１２】図６のデータ駆動部の一例を説明するための図面である。
【符号の説明】
【００５６】
１００    液晶パネル
２００    タイミング制御部
３００    ディスプレイタイミング設定部
３１０    オシレータ
３１１    第１オシレーティング信号
３２０    昇圧回路
３２１    第２オシレーティング信号
３３０    演算部
３３２    カウンター
３３３    矩形波信号
３３４    論理ＡＮＤ演算器
４００    共通電源発生部
５００    データ駆動部
５１０    シフトレジスタ
５２０    データラッチ
５３０    Ｄ/Ａコンバータ
５４０    出力バッファー
６００    スキャン駆動部
【図１】
2005084687.tif 000003
【図２】
2005084687.tif 000004
【図３】
2005084687.tif 000005
【図４】
2005084687.tif 000006
【図５】
2005084687.tif 000007
【図６】
2005084687.tif 000008
【図７】
2005084687.tif 000009
【図８】
2005084687.tif 000010
【図９】
2005084687.tif 000011
【図１０】
2005084687.tif 000012
【図１１】
2005084687.tif 000013
【図１２】
2005084687.tif 000014